(57)【要約】【課題】  視標の背景輝度を切換える場合でも、視力検査で許容される範囲から外れることなく、複数の装置の輝度を略同一に切換える場合にも調整が容易な視標呈示装置を提供する。【解決手段】  バックライトより照明されるディスプレイの白地背景に視標を表示する視標呈示装置において、前記バックライトの光量を変更してディスプレイの背景輝度を切換える切換手段と、前記光量を調整するため装置毎に設定された調整値を記憶する記憶手段であって、前記切換手段により切換えられる背景輝度が視力検査で許容される範囲で、且つそれぞれの切換え段階で所定範囲の輝度となるよう各切換え段階に対応させて設定された調整値を記憶する記憶手段と、前記切換手段による切換え信号に基づきその切換え段階に対応する調整値を前記記憶手段から読み出し、読み出した調整値に従い前記光量を制御する制御手段と、を備える。【選択図】      図４
2008206675.tif 000002
【特許請求の範囲】
【請求項１】
バックライトにより照明されるディスプレイの白地背景に視力検査視標を表示する視標呈示装置において、
前記バックライトの光量を変更してディスプレイの背景輝度を複数の段階で切換える切換手段と、
前記バックライトの光量を調整するために装置毎に設定された調整値を記憶する調整値記憶手段であって、前記切換手段により切換えられる背景輝度が視力検査で許容される基準範囲であり、且つそれぞれの切換え段階で所定範囲の輝度となるように各切換え段階に対応させて設定された調整値を記憶する調整値記憶手段と、
前記切換手段による切換え信号に基づいてその切換え段階に対応する調整値を前記調整値記憶手段から読み出し、読み出した調整値に従って前記バックライトの光量を制御する制御手段と、を備えることを特徴とする視標呈示装置。
【請求項２】
請求項１の視標呈示装置において、前記切換手段が持つ切換段階は、視力検査視標で許容される基準範囲の下限付近で且つこれを下回らない最低段階と、２００ｃｄ／ｍ2以上の輝度で且つ視力検査視標で許容される基準範囲を超えない最高段階と、最低段階と最高段階との間を略同一に見える輝度の所定範囲で分割された中間段階と、を少なくとも有することを特徴とする視標呈示装置。
【請求項３】
請求項１又は２の視標呈示装置は、前記切換手段による各切換段階に対応する輝度の調整値を前記記憶手段に記憶させる輝度調整モードと、該輝度調整モードを実行したときに、前記切換手段により切換えられる各切換え段階の内の一つに対応する輝度の調整値を設定すると、他の切換え段階に対応する輝度の調整値を所定の演算により設定する自動調整プログラムを記憶する自動調整プログラム記憶手段と、を備えることを特徴とする視標呈示装置。
【請求項４】
請求項１又は２の視標呈示装置において、さらに前記ディスプレイが点灯される累積時間を計測するタイマ手段と、該タイマ手段で計測された累積時間に基づいて前記調整値記憶手段に記憶された各切換段階に対応する調整値を補正する補正手段と、を備えることを特徴とする視標呈示装置。
【請求項５】
請求項１又は２の視標呈示装置において、前記バックライト光量の経年変化による光量ダウンを補正する補正手段であって、前記調整値記憶手段に記憶された一つの段階に対応する調整値を変化させると、他の各切換段階に対応する調整値も同一分だけ一律に変化させる補正手段を備えることを特徴とする視標呈示装置。
【発明の詳細な説明】
【技術分野】
【０００１】
本発明は、被検眼の視力等を検査するための検査視標を呈示する視標呈示装置に関する。
【背景技術】
【０００２】
視力検査視標を呈示する視標呈示装置としては、紙タイプのものに印刷された視標を蛍光灯により照明して呈示するタイプ、スクリーンに視標を投影する投影タイプの他、液晶等のディスプレイに検査視標を表示させるディスプレイタイプのものが知られている（例えば、特許文献１参照）。ディスプレイタイプの装置においては、バックライトにより照明されるディスプレイの白地背景の中に黒色に形成された検査視標が表示される。
【特許文献１】特開２００６−４２９７８号公報
【発明の開示】
【発明が解決しようとする課題】
【０００３】
ところで、装置毎に視標の背景輝度が大きく異なると、視力検査結果にも影響が現れる。すなわち、背景輝度が低い場合に比べ、背景輝度が高い場合は、視力検査結果が良い結果となる。このため、装置製造メーカは、背景輝度が略同一に見える比較的狭い範囲の輝度に入るように輝度を予め調整して設定している。ところが、検査視標の背景輝度については、世界各国の各メーカで色々な視標呈示装置が提供されており、現状、視力検査装置で許容されている輝度の範囲（以下、基準範囲）はかなり広めとされている（現状は、８０〜３２０ｃｄ／ｍ2とされている）。このため、各国の眼鏡店や眼科医院において、今まで使用していた既存の装置に対して他のメーカの視標呈示装置を導入しようとした場合、背景輝度の設定が今までと大きく異なることがある。この場合、既存装置と新たな装置との互換性を持たせることができなくなる。
この対応として、ディスプレイタイプの視標呈示装置において、コンピュータ用のディスプレイと同じように、ディスプレイのバックライト光量を調整して視標の背景輝度を切換える機能を付加することが考えられる。この切換えは、バックライトに印加する電圧を変化させることで行われる。
【０００４】
しかし、ディスプレイのバックライト光量は、印加電圧の調整値が同じであっても、装置毎に大きくばらついていることが分かった。このため、バックライト光量を変更するための調整値を各装置において一律に同じに設定すると、装置によっては背景輝度が視力検査で許容されている基準範囲から外れてしまい、視力検査の信頼性が劣る。また、新たに導入した複数の視標呈示装置を同一場所で使用し、さらに既存の視標呈示装置と互換性を持つ背景輝度に調整しようとした場合、それらを同一輝度に合わせることが難しい。
本発明は、視標の背景輝度を切換えたい場合でも、視力検査で許容される基準範囲から外れることがなく、適切に検査が行え、また、複数の装置の輝度を略同一に切換える場合にも、その調整が容易な視標呈示装置を提供することを技術課題とする。
【課題を解決するための手段】
【０００５】
上記課題を解決するために、本発明は以下のような構成を備えることを特徴とする。
【０００６】
（１）  バックライトにより照明されるディスプレイの白地背景に視力検査視標を表示する視標呈示装置において、
前記バックライトの光量を変更してディスプレイの背景輝度を複数の段階で切換える切換手段と、
前記バックライトの光量を調整するために装置毎に設定された調整値を記憶する調整値記憶手段であって、前記切換手段により切換えられる背景輝度が視力検査で許容される基準範囲であり、且つそれぞれの切換え段階で所定範囲の輝度となるように各切換え段階に対応させて設定された調整値を記憶する調整値記憶手段と、
前記切換手段による切換え信号に基づいてその切換え段階に対応する調整値を前記調整値記憶手段から読み出し、読み出した調整値に従って前記バックライトの光量を制御する制御手段と、を備えることを特徴とする。
（２）  （１）の視標呈示装置において、前記切換手段が持つ切換段階は、視力検査視標で許容される基準範囲の下限付近で且つこれを下回らない最低段階と、２００ｃｄ／ｍ2以上の輝度で且つ視力検査視標で許容される基準範囲を超えない最高段階と、最低段階と最高段階との間を略同一に見える輝度の所定範囲で分割された中間段階と、を少なくとも有することを特徴とする。
（３）  （１）又は（２）の視標呈示装置は、前記切換手段による各切換段階に対応する輝度の調整値を前記記憶手段に記憶させる輝度調整モードと、該輝度調整モードを実行したときに、前記切換手段により切換えられる各切換え段階の内の一つに対応する輝度の調整値を設定すると、他の切換え段階に対応する輝度の調整値を所定の演算により設定する自動調整プログラムを記憶する自動調整プログラム記憶手段と、を備えることを特徴とする。
（４）  （１）又は（２）の視標呈示装置において、さらに前記ディスプレイが点灯される累積時間を計測するタイマ手段と、該タイマ手段で計測された累積時間に基づいて前記調整値記憶手段に記憶された各切換段階に対応する調整値を補正する補正手段と、を備えることを特徴とする。
（５）  （１）又は（２）の視標呈示装置において、前記バックライト光量の経年変化による光量ダウンを補正する補正手段であって、前記調整値記憶手段に記憶された一つの段階に対応する調整値を変化させると、他の各切換段階に対応する調整値も同一分だけ一律に変化させる補正手段を備えることを特徴とする。
【発明の効果】
【０００７】
本発明によれば、視標の背景輝度を切換えたい場合にも、視力検査で許容される基準範囲から外れることがなく容易に切換え可能である。このため、適切な検査が可能となる。また、複数の装置の輝度を略同一に切換える場合にも、その調整を容易に行える。またさらに、輝度の自動調整プログラムを適用すれば、各切換え段階の所定範囲の輝度に対応するバックライト光量の調整値を容易に設定できる。
【発明を実施するための最良の形態】
【０００８】
以下、本発明の実施の形態を図面に基づいて説明する。図１は実施形態の視標呈示装置の外観図である。
【０００９】
視標呈示装置１の筐体２の正面（前面）には、視標を呈示するためのカラー液晶のディスプレイ（ＬＣＤ）３が配置されている。ディスプレイ３として、５ｍ等の遠方の検査距離に置かれた場合にも所定サイズの検査視標１０を表示できるように、本実施形態では１９インチサイズのものを使用している。
【００１０】
筐体２の正面の下方には、リモコン４からの赤外光の通信信号を受信する受信部５が配置されている。また、筐体２の右側面にはスイッチ部７が配置されている。スイッチ部７が持つ複数のスイッチ７ａ〜７ｅは、装置の使用時における各種の設定に使用される。ディスプレイ３に表示される視標１０は、リモコン４の操作によって切り換えられる。１つ文字の視力検査視標を呈示する場合、ディスプレイ３のほぼ中央に視標１０が表示される。
【００１１】
図２は、視標呈示装置の制御ブロック図である。２０は制御ユニットであり、制御ユニット２０にはディスプレイ３、受信部５及び様々な視標パターンや輝度調整値（詳細は後述する）等を記憶するメモリ２１（記憶手段）が接続される。ディスプレイ３は、液晶パネル３ａと、液晶パネル３ａを背後から照明するバックライト３ｂにより構成されている。制御ユニット２０によりバックライト３ｂが制御され、液晶パネル３ａに表示される視標１０の背景輝度が変えられる。制御ユニット２０はバックライト３ｂを駆動する電圧を制御するための回路を含む。また、制御ユニット２０の内部にはリモコン４からの指令信号を解読するデコーダ回路等を含む。
【００１２】
リモコン４には、装置本体を操作するための複数のボタンと、それらボタンによる操作の状況を表示する液晶ディスプレイ４１が配置される。４２は視力検査視標の切換スイッチ群であり、視力値に対応するボタンを押すと、ディスプレイ３にその視力値の視標が表示される。このとき、ディスプレイ４１にも同じ視標が表示されると共に、その視力値も表示される。４３は検査視標切換スイッチ群である。このスイッチ群４３では、赤緑テストやクロスシリンダーテスト、両眼視機能検査等の様々な視機能を検査するための視標を表示させる機能を有している。４４は方向切換ボタン、４５は視力値増減ボタンである。これらのボタン４４、４５を押すことで、現在表示中の視標の方向を任意に変えたり、視力値を上下させることができる。４９はリモコン４の指令信号を送信する送信部である。
【００１３】
ところで、ディスプレイ３に表示される視標１０の背景輝度については、視力検査で許容される範囲（以下、基準範囲）を満たす必要がある。その基準範囲は、例えば、８０〜３２０ｃｄ／ｍ2である。しかし、これは比較的広い範囲で許容されているため、この基準範囲内であっても、装置毎に輝度のバラつきが大きいと、視力検査結果に違いが出てくる。そこで、本装置では基準範囲よりさらに狭い範囲（例えば、ある輝度に対して±２０ｃｄ／ｍ2の範囲）の略一定輝度となるように、製造段階で輝度を調整し、設定しておく。
【００１４】
また、実際の眼鏡店で新たに視標呈示装置を導入して使用する際、今まで使用していた既存の視標呈示装置の背景輝度と異なることがあり、背景輝度が固定的であると、既存の装置との互換性が持たすことができなくなる。そこで、本装置ではディスプレイ３のバックライト３ｂの光量を変える調整値を変更することにより、視標の背景輝度を少なくとも２段階以上で切換える輝度切換機能を設けている。本実施形態では、その切換えは５段階としているが、さらに多くの段階であっても良い。
【００１５】
バックライト３ｂの光量は、制御ユニット２０が持つＤ／Ａコンバータ等を経て出力される印加電圧によって変えられる。バックライト３ｂへの印加電圧を、例えば、０Ｖ（ボルト）〜５Ｖ（ボルト）で変えることにより、０Ｖのとき輝度が最も明るくされ、５Ｖのとき輝度が最も暗くされる。輝度の調整値は、この０〜５Ｖの印加電圧を０〜２５５の２５６階調に区分し、調整値０のとき０Vとし、調整値２５５のとき５Vとする。制御ユニット２０は、調整値０〜２５５に従ってバックライト３ｂの光量を変更制御する。
【００１６】
ここで、多数の視標呈示装置を製造し、各装置において調整値０〜２５５の値を変化させたときの輝度を輝度計でそれぞれ測定した。その結果を図３に示す。なお、輝度の測定条件は、視標１０の中心、上、下、左及び右の５箇所で視標周辺の白地の輝度を１ｍ離れた位置から測定し、その平均値とした。
【００１７】
輝度とバックライト３ｂの調整値の関係を見ると、同じ調整値であっても装置毎にバラツキがある。全体では比例関係となっていない部分もあるが、８０〜２５０ｃｄ／ｍ2の範囲は、ほぼ比例関係に近い値で変化している。また、最高輝度と最低輝度にバラツキがあるが、調整値に対する輝度の変化の傾きは近似している。平均的には、調整値１０ステップに対し約１０ｃｄ／ｍ2の変化率である。また、輝度の最低は、６６〜８０ｃｄ／ｍ2の範囲でばらついており、多くのものは基準範囲の下限８０ｃｄ／ｍ2を下回っていた。一方、輝度の最高値は２４４〜２８１ｃｄ／ｍ2の範囲でばらついていた。装置に適用したディスプレイ３では、基準範囲の上限３２０ｃｄ／ｍ2を上回るものは無かったが、近年の液晶ディスプレイの高輝度化の技術進歩により、３２０ｃｄ／ｍ2を上回るものも十分に有り得る。したがって、全ての装置について単純に同一の調整値０〜２５５を使用して輝度を切換えると、輝度の基準範囲（８０〜３２０ｃｄ／ｍ2）を逸脱してしまうことになる。
【００１８】
そこで、輝度を切換えた場合であっても、視力検査で許容される基準範囲から外れることがなく、且つそれぞれの切換えレベルで所定の許容範囲の輝度となるように各切換えレベルに対応させて予め設定した調整値をメモリ２１に記憶しておく。メモリ２１に記憶される調整値は、各装置に固有の値とされる。以下、調整値の設定を説明する。
【００１９】
図４に示す装置Ａ，Ｂ，Ｃ，Ｄ，Ｅについて、調整値０〜２５５の輝度範囲が、装置Ａ（８０〜２８０ｃｄ／ｍ2）、装置Ｂ（７５〜２７５ｃｄ／ｍ2）、装置Ｃ（７０〜２７０ｃｄ／ｍ2）、装置Ｄ（６５〜２６５ｃｄ／ｍ2）、装置Ｅ（６０〜２６０ｃｄ／ｍ2）であったとする。また、５段階の切換は、レベル１〜レベル５とし、各レベルは基準範囲内で設定される。レベル１は基準範囲の下限である８０ｃｄ／ｍ2付近で、この下限を下回らない最低レベルであり、例えば、１００±２０ｃｄ／ｍ2とする。最高レベルであるレベル５は、２００ｃｄ／ｍ2以上の輝度で且つ視力検査視標で許容される基準範囲を超えない輝度値で設定されている。本実施形態では図３の実験結果を基に、ディスプレイ３のバックライト３ｂの能力を考慮し、レベル５は２６０±２０ｃｄ／ｍ2とする。最低段階のレベル１と最高段階のレベル５との間は、略同一に見える輝度の所定範囲（本実施形態では±２０ｃｄ／ｍ2）で分割された中間段階が設定されている。例えば、レベル２は１４０±２０ｃｄ／ｍ2とし、レベル３は１８０±２０ｃｄ／ｍ2とし、レベル４は２２０±２０ｃｄ／ｍ2とする。
【００２０】
なお、多数の装置を確認したところ、ディスプレイの最高輝度は、３２０ｃｄ／ｍ2以下であり、２４４〜２８１ｃｄ／ｍ2の範囲であったので、本実施形態ではレベル５が最高段階として設定されている。ディスプレイ３の輝度がさらに高い場合は、同様な考えにより、レベル６、レベル７…というように、段階を増加させていけばよい。その際も、基準範囲の上限である３２０ｃｄ／ｍ2を超えないレベルまでの切換えとする。また、本実施形態の各レベルの許容範囲（±２０ｃｄ／ｍ2）は、視標の背景が見た目にほぼ同じに見える範囲で設定されているものであるが、各レベルの許容範囲をさらに狭くして（例えば、±１０ｃｄ／ｍ2等）、切換え段階を細かくしても良い。
【００２１】
各レベルに対する輝度の調整値の設定を説明する。検査視標１０の表示状態において、スイッチ７ｄを押しながらスイッチ７ｅを押すと、輝度調整モードとされ、ディスプレイ３の画面右下に図５に示す調整値設定画面６０が表示される。調整値設定画面６０の調整値欄６１ａ〜６１ｅは、レベル１〜５に設定する調整値をそれぞれ入力する欄である。初めは初期値として、「１０」、「６０」、「１１０」、「１６０」、「２１０」の調整値がメモリ２１に記憶されており、その値が制御ユニット２０により呼び出され、設定されている。これらの初期値は、図３の多数のサンプルの輝度を測定した結果から、それぞれ各レベルの目標輝度にしたときの平均値とされている。
【００２２】
図４に示した装置Ａを例にとり、各レベルの輝度の調整値を設定する場合を説明する。例えば、レベル４を設定する場合は、スイッチ７ｃにより網掛けで示されるカーソル６２を調整値欄６１ｂに移動させる。カーソル６２が移動されると、制御ユニット２０により、メモリ２１からレベル４の初期値「６０」が呼び出され、ディスプレイ３のバックライト３ｂには、調整値「６０」に対応する印加電圧が与えられ、その光量が変更される。調整者は、その輝度を輝度計により測定し、測定した輝度が目標とするレベル４の２２０ｃｄ／ｍ2付近から外れている場合は、スイッチ７ａ又は７ｂにより調整値を増減させる。調整値欄６１ｂの調整値が変えられると、バックライト３ｂの光量もそれに対応するように変えられる。装置Ａの場合、平均より明るめの輝度であるので、スイッチ７ａにより調整値を増加させることにより、輝度を暗くする。多数の装置の平均から、前述のように、調整値１０ステップに対し約１０ｃｄ／ｍ2の変化率であることが経験的に分かっているので、これを目安にして調整値を変えることができる。バックライト３ｂの光量を変更後、輝度計による輝度測定を繰り返し、レベル４の目標輝度に対応する調整値を決定する。装置Ａの場合には、調整値を「７５」とすることにより、レベル４の２２０ｃｄ／ｍ2付近にすることができる。
【００２３】
レベル４の調整値が設定できたら、レベル３の調整値欄６１ｃにカーソル６２を移動し、同様に、その調整値を変更することによりバックライト３ｂの光量を変更し、ディスプレイ３の輝度を輝度計で測定する。そして、レベル３の目標輝度（１８０ｃｄ／ｍ2）付近になるように、調整値を設定する。レベル２、レベル１及びレベル５についても同様な方法により、それぞれの目標の輝度付近となるように、調整値欄６１ｄ，６１ｅ及び６１ａを設定する。装置Ａの場合、レベル１，２，３，４及び５の各調整値は、例えば、それぞれ「２２５」，「１７５」，「１２５」，「７５」及び「２５」に設定される。その後、スイッチ７ｄとスイッチ７ｅを同時に押すと、輝度調整モードが解除され、ディスプレイ３の表示が検査視標の呈示状態に戻されると同時に、メモリ２１の初期値が設定された調整値に書き換えられる。なお、製造段階の標準輝度は、レベル４に設定されている。
【００２４】
他の装置Ｂ，Ｃ，Ｄ及びＥについても同様な手順で、各レベルに対応する輝度の調整値を各装置に固有の値として設定する。装置Ｅの場合、レベル１，２，３，４及び５の各調整値は、例えば、それぞれ「２００」，「１５０」，「１００」，「５０」及び「０」に設定される。なお、図４において、各装置Ａ〜Ｅの調整範囲を示す縦グラフの括弧内の数値は、各レベルに対応する調整値の例として示されている。
【００２５】
上記のようにして、レベル１〜５の輝度を基準範囲から外れないように設定できるが、全てのレベルについて輝度計で実際の輝度を計測し、各レベルが所定の許容範囲に入るように調整する作業は大変である。そこで、輝度の自動調整プログラムをメモリ２１に記憶しておき、これを実行して調整作業の簡略化を図る例を説明する。
【００２６】
輝度の自動調整プログラムを適用した例を説明する。先の例と同じく、スイッチ７ｄ及びスイッチ７ｅを同時に押すと、輝度調整モードとされ、制御ユニット２０により自動調整プログラムが実行される。ディスプレイ３の画面右下には、図５と同じく、調整値設定画面６０が表示され、調整値設定画面６０の調整値欄６１ａ〜６１ｅには初期値が入っている。ここで、例えば、レベル３の調整値をある値の「Ｘ」に設定すると、他のレベル１，２，４、５の調整値は下記の演算により自動的に設定されるようにプログラムされている。
【００２７】
レベル１：Ｘ＋１００  （ただし、調整値２５５を上限とする）
レベル２：Ｘ＋５０
レベル３：Ｘ
レベル４：Ｘ−５０
レベル５：Ｘ−１００  （ただし、調整値０を下限とする）
上記の各レベルで、Ｘに対する増減の値は、図３に示したように、輝度とバックライト３ｂの調整値の関係がほぼ比例関係にあり、調整値１０ステップに対し約１０ｃｄ／ｍ2の変化率であることを利用して設定されている。すなわち、レベル３の調整値Ｘをその許容範囲の中心の１８０ｃｄ／ｍ2付近に設定すれば、他のレベル１，２，４，５は上記の演算を適用して設定されることにより、それぞれの許容範囲に入るようになる。
【００２８】
具体的に説明する。レベル３にカーソル６２を移動すると、バックライト３ｂの光量は、レベル３の調整値の初期値「１１０」に変更される。このときの輝度を輝度計で測定し、許容範囲の中心の１８０ｃｄ／ｍ2付近となるように、スイッチ７ａ又は７ｂにより調整値を変更する。例えば、図４の装置Ｂにおいて、レベル３の調整値を「１１８」に設定することにより、その輝度が１８０ｃｄ／ｍ2付近となったとすると、レベル１，２，４，５の調整値はそれぞれ、「２１８」（１１８＋１００）、「１６８」（１１８＋５０）、「６８」（１１８−５０）、「１８」（１１８−１００）に自動的に設定される。そして、スイッチ７ｄ及びスイッチ７ｅを同時に押すと、輝度調整モードが解除され、メモリ２１に記憶されていた調整値が変更された調整値に書き換えられる。このようにレベル１〜５の何れか１つのレベルの調整値を決定すれば、他のレベルの調整はそれぞれの許容範囲に入るように自動的に設定されるので、調整作業が簡略化される。
【００２９】
以上のような設定により、装置間の輝度のバラツキが抑えられ、正確な検査が行える。眼鏡店や眼科医院において、今まで使用していた既存の視標呈示装置（例えば、投影タイプの視標呈示装置）と本装置の輝度が異なる場合は、今までの装置との検査結果の互換性を持たせるために、輝度を変更する。輝度を変えたい場合は、スイッチ７ｂを押す毎にレベル１の輝度まで順次切換えられる。また、スイッチ７ａを押すことにより、レベル５の輝度まで順次切換えられる。制御ユニット２０は、スイッチ７ａ又は７ｂにより輝度の切換え信号（レベル１〜５の選択信号）が入力されると、切換えられたレベルに対応する調整値をメモリ２１から呼び出し、その調整値にしたがってバックライト３ｂに付与する印加電圧を制御し、ディスプレイ３の輝度を変える。輝度の切換えをレベル１〜５の何れにするかは、既存の装置との輝度を見比べて決めればよい。このとき、最低輝度のレベル１に切換えた場合であっても、その輝度は基準範囲の下限である８０ｃｄ／ｍ2を下回らないように設定されており、また、最高輝度のレベル５に切換えた場合であっても、その輝度は基準範囲の上限である３２０ｃｄ／ｍ2を上回らないように設定されているため、基準を逸脱することなく、適切な検査が可能になる。
【００３０】
なお、本実施例での輝度調整モードにおいて用いられる調整値の変化に対する輝度の変化量は略比例関係である。しかしながら、視標呈示装置によっては、ディスプレイ３に備えられるバックライト３ｂの特性が必ずしも略比例関係にあるとは限らない。例えば、調整値に対する輝度が、図６に示すように略放物線状である場合も考えられる。この場合、例えば各レベル１〜５の初期値Ｌ１、Ｌ２、Ｌ３、Ｌ４、Ｌ５のそれぞれに対応する輝度をＩ１、Ｉ２、Ｉ３、Ｉ４、Ｉ５とする。そして、各レベルの初期値Ｌ１〜Ｌ５の付近での調整値の変化に対する輝度Ｉ１〜Ｉ５の変化量が異なることを考慮に入れて調整値の変化量に重み付けをする自動設定としてもよい。
【００３１】
その他にも、輝度調整モードの自動設定は、バックライト３ｂの特性により適宜対応すればよい。
【００３２】
また、本装置を複数台導入し、既存の装置との互換性を持たせるために、輝度を切換える場合であっても、レベル１〜５の中の同じレベルを設定することにより、複数台の装置の輝度を容易に略同一に調整できる。また、チェーン展開する眼鏡店においても、全ての店において同一のレベルに設定することにより、全ての店で略同一の輝度に容易に切換えることができ、互換性を持たせて適切な検査が可能になる。
【００３３】
なお、上記では、切換え可能な範囲を視力検査視標で許容されている基準範囲（８０〜３２０ｃｄ／ｍ2）としたが、眼鏡店によっては、意図的に基準範囲よりも輝度を暗くしたい場合又は明るくしたい場合もある。その対応として、少なくとも基準範囲に切換えられるレベルを確保した上で、さらに広げた切換えレベルを設けても良い。この場合は、基準範囲から外れた段階に切換えられた旨を知らせるメッセージをディスプレイ３に表示させる等、警告する手段を設けることが好ましい。
【００３４】
次に、バックライト３ｂの経年変化による光量ダウンに対する補正について、図７を用いて説明する。ディスプレイ３の画面には、検査視標１０を表示できる他、検査に使用しないときにはデジタル写真等のグラフィックを制御ユニット２０の制御により表示できる。眼鏡店においては、検査以外の時は店の宣伝用にディスプレイ３が使用されることもある。このため、バックライト３ｂは検査以外のときも点灯され、長時間点灯される。ディスプレイ３のバックライト３ｂは、点灯時間（駆動時間）が長くなるにしたがってその光量がダウンする。
【００３５】
図７は、バックライト３ｂの点灯時間ｔに対する光量のダウン率を示した図である。点灯時間に対する光量のダウン率は、ディスプレイ３の製造メーカから入手できる他、実験的に求めることができる。ΔＫ１は、例えば、輝度が１０ｃｄ／ｍ2低下するときのダウン率であり、そのときの点灯時間をｔ１とする。このダウン率ΔＫ１と点灯時間ｔ１との関係の演算式を制御ユニット２０に持たせておく。そして、制御ユニット２０は、タイマ手段２３によりバックライト３ｂの点灯時間を計測させ、計測した累積時間がｔ１に達したら、ダウン率ΔＫ１を基にメモリ２１に記憶した各レベルに対応する調整値を補正する。これにより、ディスプレイ３を長時間使用した場合でも、バックライト３ｂの光量低下が補正され、再び、ディスプレイ３の一定範囲の輝度に維持することができ、正確な検査を行える。
【００３６】
バックライト３ｂの経年変化による光量ダウンの補正は、上記の自動的に行う他、手動でも良い。その例を説明する。長時間の使用によるディスプレイ３の輝度が低下してきたと感じられたら、スイッチ７ｃ及び７ｄを同時に押して、第２の輝度調整モードとされ、図５と同じような調整画面がディスプレイ３に表示される。この第２輝度調整モードでは、何れか１つのレベル（カーソル６２で選択されたレベル）の調整値をスイッチ７ａ又は７ｂにより変化させると、制御ユニット２０により、他のレベルも同じ変化分だけ一律に変えられる。例えば、レベル４の調整値を「６０」から「５０」に変えると、その変化分「−１０」だけ、他のレベルに対応する調整値も一律に変えられる。そして、再び、スイッチ７ａ又は７ｂを押して第２輝度調整モードを終了すると、メモリ２１に記憶されていた各レベルに対応する調整値が変更された調整値に書き換えられる。これにより、経年変化による光量ダウンに対しても、容易に対応できる。
【図面の簡単な説明】
【００３７】
【図１】視標呈示装置の外観を説明する図である。
【図２】視標呈示装置の制御系を説明する図である。
【図３】調整値と輝度の関係を説明する図である。
【図４】輝度の切換えについて説明する図である。
【図５】調整値設定画面を説明する図である。
【図６】他の形態における調整値と輝度の関係を説明する図である。
【図７】バックライトの光量ダウンに対する補正について説明する図である。
【符号の説明】
【００３８】
１  視標呈示装置
３  ディスプレイ
４  リモコン
７  スイッチ部
１０  視標
２０  制御ユニット
２１  メモリ
【図１】
2008206675.tif 000003
【図２】
2008206675.tif 000004
【図３】
2008206675.tif 000005
【図４】
2008206675.tif 000006
【図５】
2008206675.tif 000007
【図６】
2008206675.tif 000008
【図７】
2008206675.tif 000009